(57)【要約】      （修正有）【課題】基板を安定して移送することができ、基板の収納状態も感知することができる  基板移送装置を提供すること。【解決手段】基板移送装置はハンド１３０ａ、１３０ｂがピックアップ位置から溝の位置に戻った時、ハンド１３０ａ、１３０ｂのポケット部１３２に配置された基板Ｗを把持する把持部材１４０を含む。この把持部材１４０は基板Ｗのエッジと面接触する湾曲部１４４ａを有し、そして少なくとも一つのハンド１３０ａ、１３０ｂの移動方向と同一の方向に移動可能に前記ベース上に設けられるプッシャー１４４及びプッシャー１４４が基板Ｗのエッジを側方に押すように弾性力を加える弾性体１４６を含み得る。【選択図】図２
2006054455.tif 000002
【特許請求の範囲】
【請求項１】
基板移送装置において、
ベースと、
基板が配置されるポケット部を有し、前記ベース上に形成した溝の位置から基板をピックアップするためのピックアップ位置に移動する少なくとも一つのハンドと、
少なくとも一つの前記ハンドが前記ピックアップ位置から前記溝の位置に戻ったとき、前記ハンドのポケット部に配置された基板を把持する少なくとも一つの把持部材と、を含むことを特徴とする基板移送装置。
【請求項２】
前記把持部材は、
基板のエッジと面接触する湾曲部を有し、少なくとも一つの前記ハンドの移動方向と同一の方向に移動可能に前記ベース上に設けたプッシャーと、
前記プッシャーが前記基板エッジを側方に押すように弾性力を加える弾性体と、を含み、
前記プッシャーは前記溝の位置に戻る少なくとも一つの前記ハンドに配置された基板のエッジを自動的に把持することを特徴とする、請求項１に記載の基板移送装置。
【請求項３】
前記把持部材は、
前記プッシャーに連結して設けられる点検バーと、
前記点検バーの移動の有無を感知する感知センサからなる基板感知部材と、を含むことを特徴とする、請求項２に記載の基板移送装置。
【請求項４】
前記湾曲部は基板のフラットゾーンより広いことを特徴とする、請求項２に記載の基板移送装置。
【請求項５】
前記ポケット部には、少なくとも一つの前記ハンドが前記溝の位置に戻ったとき、前記把持部材のプッシャーが位置する切開部が形成され、
前記切開部には前記基板の一部のエッジが位置することを特徴とする、請求項２に記載の基板移送装置。
【請求項６】
前記基板が少なくとも一つの前記ハンドのポケット部に配置された基板の収納状態を感知する受光センサ及び発光センサを含み、
前記受光センサは前記基板のエッジ内側下のベース上に配置され、
前記発光センサは前記基板のエッジ外側上に配置され、前記受光センサに対して斜めに向きを変えて配置されることを特徴とする、請求項１に記載の基板移送装置。
【請求項７】
前記ベースの内部には少なくとも一つの前記ハンドを移動させる駆動部が設けられ、
前記ベースは回転及び高さが調節されることを特徴とする、請求項１に記載の基板移送装置。
【発明の詳細な説明】
【技術分野】
【０００１】
本発明は基板移送装置に係り、さらに具体的には基板を安定して移送することができ、基板の収納状態も感知することができる基板移送装置に関する。
【背景技術】
【０００２】
一般的に、基板は洗浄、沈積、蒸着、エッチングなどの工程段階を経る過程で各工程の実行位置に移送しなければならず、これを可能にするものが基板移送装置である。基板移送装置は予め決められたプログラムに従って動作して各工程の実行位置に基板を移送する自動化設備である。
【０００３】
一般的に、基板移送装置は基板が配置される薄い板のハンドを有し、このハンドには基板移送時に基板離脱を防止するためのコーベルが形成されている。前記基板移送装置は基板を単純にハンド上に配置した状態で移送するので、基板を速い速度で移送すれば、ハンド上で基板が摺動する。
【０００４】
結局、半導体製造設備の生産性を高めるためには、基板移送装置の基板移送速度を高めなければならないが、既存のように、ハンドに形成されたコーベルだけでは基板移送装置の速い移送速度からの慣性力によって基板がハンドの外に飛び出す（または摺動する）ことを防止することができなかった。また、既存の基板移送装置は反射型光センサを使用して基板の有／無を確認しており、反射型光センサが基板の老ノッチ(notch)位置やフラットゾーン(flat-zone)位置に従って基板を感知することができない場合も発生している。
【０００５】
このような既存の基板移送装置は基板を移送する時、基板Ｗの摺動が発生する現象を防止することができず、基板Ｗの摺動によって速い速度で基板Ｗを移送させることができないので、生産性が低下するなどの多くの問題点がある。
【発明の開示】
【発明が解決しようとする課題】
【０００６】
本発明の課題は、シリンダのような駆動装置を使用せず、かつ基板をハンド上で把持することができる新しい形態の基板移送装置を提供することをその目的とする。本発明の他の課題は、基板移送スピードを最大に高めてもハンド上での基板の動きがない新しい形態の基板移送装置を提供することをその目的とする。本発明の他の目的は、基板のノッチ位置やフラットゾーン位置に依らずに基板の有／無および把持状態を確認することができ、基板が何れの方向に曲っても、これを感知することができる新しい形態の基板移送装置を提供することをその目的とする。
【課題を解決するための手段】
【０００７】
上述の課題を達成するために本発明の基板移送装置はベースと、基板が配置されるポケット部と、を有し、前記ベースの上部に位置する溝の位置から基板ピックアップのためのピックアップ位置に移動する少なくとも一つのハンド、及び少なくとも一つの前記ハンドが前記ピックアップ位置から前記溝位置に戻ったとき、前記ハンドのポケット部に配置された基板を把持する把持部材を含む。
【０００８】
本発明の実施形態によれば、前記把持部材は基板のエッジと面接触する湾曲部を有し、少なくとも一つの前記ハンドの移動方向と同一の方向に移動可能に前記ベース上に設けられるプッシャー、及び前記プッシャーが前記基板のエッジを側方に押すように弾性力を加える弾性体を含むことができる。
【０００９】
本発明の実施形態によれば、前記把持部材は前記プッシャーに連結して設けられる点検バーと、前記点検バーの移動の有無を感知する感知センサからなる基板感知部材と、を含み得る。
【００１０】
本発明の実施形態によれば、前記湾曲部は基板のフラットゾーンより広く形成される。
【００１１】
本発明の実施形態によれば、前記ポケット部には少なくとも一つの前記ハンドが前記溝の位置に戻ったとき、前記把持部材のプッシャーが位置する切開部が形成され、前記切開部には前記基板の一部のエッジが位置する。
【００１２】
本発明の実施形態によれば、前記基板が少なくとも一つの前記ハンドのポケット部に配置された基板の収納状態を感知する受光センサ及び発光センサを含み、前記受光センサは前記基板のエッジ内側下のベース上に配置され、前記発光センサは前記基板のエッジ外側上に配置され、前記受光センサに対して斜めに向きを変えて配置される。
【００１３】
本発明の実施形態によれば、前記ベースは内部に少なくとも一つの前記ハンドを移動させる移動部材が設けられ、前記ベースは回転されて高低が調節される。
【発明の効果】
【００１４】
本発明は以下のような効果を奏する。
【００１５】
第１に、本発明はシリンダのような別途の駆動装置を使用して基板エッジを把持するのではないので、駆動装置の誤作動によるエラーが全然発生しないだけでなく、安価で製作可能な利点を有する。
【００１６】
第２に、本発明は基板感知のために多数の光センサを使用せず、プッシャーの移動の有無によって基板を感知するので、基板のノッチ及びフラットゾーン位置による誤作動が発生しない。
【００１７】
第３に、受光センサと発光センサの位置を変更して、基板をより正確に感知することができる。
【発明を実施するための最良の形態】
【００１８】
以下、添付の図を参照して本発明の望ましい実施形態を詳細に説明する。しかし、本発明は本願明細書で説明する実施形態に限定されず、他の形態を実施することもできる。むしろ、ここで紹介する実施形態は開示内容が全体を通じて完璧であるように、そして当業者に本発明の思想を十分に伝達するために提供するものである。明細書全体に亘って同一の参照番号を付した構成要素は同一の構成要素を示す。
【００１９】
本の実施形態では二つのハンドを有する基板移送装置に対して説明しているが、これは一つの実施形態に過ぎず、前記基板移送装置は一つのハンドのみを具備し得る。
【００２０】
図１乃至図４を参照すれば、本発明による基板移送装置１００はボディー１１０と、このボディー１１０の上部に設けられるベース１２０、ベース１２０に対して前後方向に移動する第１ハンド１３０ａと第２ハンド１３０ｂ、および前記第１ハンドと第２ハンドに配置された基板Ｗをつかむ把持部材１４０を含む。例えば、前記ベース１２０は前記ボディー上で回転と高低の調節が可能である。
【００２１】
例えば、本発明の基板移送装置１００は基板の交替作業のために二つのハンドを具備する。例えば、二つのハンドのうちのいずれか一つは工程処理が完了した基板を処理部から運ぶ作業を実行し、残りの一つは工程処理されていない基板を処理部に運ぶ作業を実行する。
【００２２】
前記第１ハンド１３０ａと第２ハンド１３０ｂは互いに異なる高さで独立して前後移動することができる。本実施形態では、前記第１ハンド１３０ａは前記第２ハンド１３０ｂの上部に位置する。前記第１、２ハンド１３０ａ、１３０ｂの各々は基板が配置されるポケット部１３２と、ポケット部１３２の一側から延在して形成され、前記ベース内部に設けられる駆動部と連結される連結アーム１３６と、を有する。前記ポケット部１３２は
【００２３】
【数１】
2006054455.tif 000003
【００２４】
形態を有し、ポケット部のエッジの４ヶ所には基板離脱を防止する４個のコーベル１３４が形成される。前記ポケット部１３２の形状は
【００２５】
【数２】
2006054455.tif 000004
【００２６】
形態に限定されるものではなく、多様な形態に変更可能である。
【００２７】
前記基板移送装置は前記第１ハンド１３０ａまたは第２ハンド１３０ｂが前方に移動した状態（ピックアップ位置）で基板のピックアップが行われ、前記第１ハンド１３０ａまたは第２ハンド１３０ｂが後方に移動した状態（溝の位置）で基板移送が行われる。図２を参照すれば、前記第１ハンド１３０ａはピックアップ位置に移動しており、第２ハンドは溝の位置に移動していることが分かる。
【００２８】
図４のように、前記第１ハンド１３０ａと第２ハンド１３０ｂの移動は前記ベース内部に設けられた二つの駆動部１２４等によって行われる。前記駆動部１２４はモータ１２４ａ、前記モータ１２４ａの動力を前記第１ハンド（または第２ハンド）に伝達するためのベルトプーリ１２４ｂ、および前記第１ハンド（または第２ハンド）の前後移動を案内するガイドレール１２４ｃ等を含むことができ、図面の便宜上、これらは図４に簡略に表示した。もちろん、前記駆動部はシリンダのような他の装置を使用することもできる。
【００２９】
図２及び図５を参照すれば、前記把持部材１４０は前記第１ハンドまたは第２ハンドが前記ピックアップ位置から前記溝の位置に戻ったとき、前記ポケット部１３２に配置された基板を安定して把持する役割を果たす。前記把持部材１４０は固定ブロック１４２、プッシャー１４４、および圧縮スプリング１４６を含む。前記プッシャー１４４は前記第１ハンド１３０ａまたは第２ハンド１３０ｂの移動方向と同一の方向に前後に摺動可能に前記固定ブロック１４２に設けられる。前記プッシャー１４４は基板のエッジと面接触する湾曲部１４４ａと、前記固定ブロック１４２と連結される二つの連結軸１４４ｂと、を有する。前記連結軸１４４ｂには前記プッシャー１４４が前記基板エッジを側方に押すように弾性力を加える前記圧縮スプリング１４６が設けられる。前記プッシャー１４４は前記圧縮スプリング１４６の弾性反撥力によって基板のエッジを把持(grip)するようになる。前記プッシャーの湾曲部１４４ａは基板のフラットゾーンより広い幅を有することが望ましい。一方、前記第１ハンドと第２ハンドのポケット部１３２にはそれぞれ前記把持部材のプッシャーが位置する切開部分１３３が形成される。この切開部分１３３には基板の一部のエッジが位置する。
【００３０】
本実施形態では、前記把持部材１４０は第１ハンドと第２ハンドの基板を全部把持するように単一プッシャーを具備しているが、これは一例に過ぎず、図１１のように、把持部材１４０は第１ハンド用プッシャー１４４´と、第２ハンド用プッシャー１４４´´と、をそれぞれ具備し得る。
【００３１】
このように、本発明の把持部材１４０はシリンダのような別途の駆動装置を使用して基板のエッジを把持するのではないので、駆動装置の誤作動によるエラーが全然発生しないだけでなく、安価で製作可能な利点を有する。
【００３２】
前記把持部材１４０は基板Ｗが第１ハンドまたは第２ハンドに配置されたか否かを確認する基板感知部材１４８をさらに含む。前記基板感知部材１４８はプッシャー１４４の後段に連結される点検バー１４８ａと、この点検バーを感知する感知センサ１４８ｂと、を含む。図６Ａ及び図６Ｂのように、前記基板が正常に第１ハンド１３０ａ（または第２ハンド）に配置された場合、第１ハンドが溝位置に移動すれば、前記プッシャー１４４が基板のエッジと接しながら後に押されるようになる。この際、前記点検バー１４８ａは前記プッシャー１４４とともに後ろに移動し、前記感知センサ１４８ｂが前記点検バー１４８ａのエッジを感知してオン(on)状態になる。
【００３３】
ところで、図７Ａ乃至図７Ｃのように基板Ｗがポケット部１３２のコーベル１３４上に配置されるか、一方に傾いて配置される場合には前記把持部材１４０のプッシャー１４４が後ろに押されないので、前記感知センサ１４８ｂがオフ(off)状態になる。この場合、基板がないか、あるいは把持ミス(grip miss)を起こした状態と判断してアラームを鳴らして進行を中断する。
【００３４】
図８Ａ及び図８Ｂのように、基板Ｗのノッチ及び基板のフラットゾーンが前記プッシャー１４４の方を向いた場合にも、プッシャー１４４の幅がフラットゾーン１４４より広くてプッシャーが後ろに押されて、前記感知センサをオンさせて基板の有無及び把持状態を確認することができる。
【００３５】
このように、本発明の基板移送装置は基板感知のために多数の光センサを使用せず、プッシャーの移動の有無に従って基板を感知するので、基板のノッチ及びフラットゾーン位置による誤作動が発生しない。
【００３６】
図９及び図１０に示すように、本発明の基板移送装置は基板をより正確に感知するために透過型ファイバセンサ(fiber sensor)方式の受光センサ１６２と、発光センサ１６４と、を含む。図９を参照すれば、前記受光センサ１６２の端部１６２ａ（光を受光する面）は基板のエッジの内側に、発光センサ１６４の端部１６４ａ（光を発光する面）は基板のエッジの外側に配置される。図１０を参照すれば、前記受光センサのエッジ部１６２ａは基板の下側に位置し、発光センサのエッジ部１６４ａは基板の上側に配置される。特に、図９のように、前記発光センサは前記受光センサとは異なる線上に位置する。すなわち、前記受光センサ１６２と発光センサ１６４の光伝達経路は対角線方向に曲るように形成されて基板のエッジをセンシングする。
【００３７】
一方、本発明は、前記の構成からなった基板移送装置は多様に変形することができ、様々な形態を取り得る。本発明は前記の詳細な説明で言及した特別な形態に限定されるものではないことを理解しなければならず、むしろ特許請求の範囲によって定義される本発明の精神と範囲内にあるすべての変形物と均等物及び代替物を含むことを理解しなければならない。
【００３８】
以上では、本発明による基板移送装置の構成及び作用を上述の説明及び図に従って説明したが、これは単なる一例を挙げて説明したものに過ぎず、本発明の技術的思想を逸脱しない範囲内で多様な変形及び変更が可能であることは勿論である。
【図面の簡単な説明】
【００３９】
【図１】本発明の望ましい実施形態による基板移送装置の概略的な斜視図である。
【図２】本発明の望ましい実施形態による基板移送装置の概略的な平面図である。
【図３】本発明の望ましい実施形態による基板移送装置の概略的な側面図である。
【図４】ベースに設けられた駆動部を示す図である。
【図５】ベースに設けられた把持部材を示す図である。
【図６Ａ】第１ハンドがピックアップ位置に移動した状態を示す図である。
【図６Ｂ】第１ハンドが溝の位置に移動した状態を示す図である。
【図７Ａ】基板が間違って配置された状態を示す図である。
【図７Ｂ】基板が間違って配置された状態を示す図である。
【図７Ｃ】基板が間違って配置された状態を示す図である。
【図８Ａ】基板Ｗのノッチ及び基板のフラットゾーンがプッシャー側を向いた場合を示す図である。
【図８Ｂ】基板Ｗのノッチ及び基板のフラットゾーンがプッシャー側を向いた場合を示す図である。
【図９】本発明で基板感知のための受光センサと発光センサが設けられた基板移送装置を示す図である。
【図１０】本発明で基板感知のための受光センサと発光センサが設けられた基板移送装置を示す図である。
【図１１】二つのプッシャーを有する把持部材を示す図である。
【符号の説明】
【００４０】
１００  基板移送装置
１１０  ボディー
１２０  ベース
１２４  駆動部
１２４ａ  モータ
１２４ｂ  ベルとプーリ
１２４ｃ  ガイドレール
１３０ａ  第１ハンド
１３０ｂ  第２ハンド
１３２  ポケット部
１３３  切開部分
１３４  コーベル
１３６  連結アーム
１４０  把持部材
１４２  固定ブロック
１４４  プッシャー
１４４ａ  湾曲部
１４４ｂ  連結軸
１４４´  第１ハンド用プッシャー
１４４´´  第２ハンド用プッシャー
１４６  圧縮スプリング
１４８  基板感知部材
１４８ａ  点検バー
１４８ｂ  感知センサ
１６２  受光センサ
１６２ａ  エッジ部
１６４  発光センサ
１６４ａ  エッジ部
Ｗ  基板
【図１】
2006054455.tif 000005
【図２】
2006054455.tif 000006
【図３】
2006054455.tif 000007
【図４】
2006054455.tif 000008
【図５】
2006054455.tif 000009
【図６Ａ】
2006054455.tif 000010
【図６Ｂ】
2006054455.tif 000011
【図７Ａ】
2006054455.tif 000012
【図７Ｂ】
2006054455.tif 000013
【図７Ｃ】
2006054455.tif 000014
【図９】
2006054455.tif 000015
【図１０】
2006054455.tif 000016
【図１１】
2006054455.tif 000017
【図８Ａ】
2006054455.tif 000018
【図８Ｂ】
2006054455.tif 000019